【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
タイムスケジュールされた放送メディアソースに関連付けられるダウンロード可能なコンテンツへのアクセスをコンピュータにより実行する方法であって、
前記放送メディアソースを該放送メディアソースの関連付けられたスケジュール済みの放送時間中に受信するステップと、
前記受信した放送メディアソースをユーザに提示するステップと、
前記ダウンロード可能なコンテンツの識別子を取得するステップと、
前記ユーザからの前記ダウンロード可能なコンテンツの所望の配信指定として、該ダウンロード可能なコンテンツの即時配信か、遅延配信か、無配信かのいずれかに決定するステップと、
前記取得した識別子に基づいて前記ダウンロード可能なコンテンツにアクセスするステップと、
即時配信指定の受信に応答して前記受信した放送メディアソースの前記ユーザへの提示を変更し、一時停止されている間に、前記ダウンロード可能なコンテンツを前記ユーザに提示するステップと、
遅延配信の指定に応答して前記受信した放送メディアソースを前記ユーザに提示するステップを終了した後に、前記受信した放送メディアソースの提示を変更することなく、前記ダウンロード可能なコンテンツを前記ユーザへ提示するステップと
を備えることを特徴とする方法。
【請求項２】
前記ダウンロード可能なコンテンツの前記識別子を取得するステップは、前記ダウンロード可能なコンテンツの識別子を前記受信した放送メディアソースから抽出するステップ
を備えることを特徴とする請求項１に記載の方法。
【請求項３】
前記放送メディアソースは、マルチキャストインターネットプロトコル（ＩＰ）ラジオ信号とテレビ信号の少なくともいずれかの信号を含み、
前記識別子を抽出するステップは、前記マルチキャストＩＰラジオ信号とテレビ信号の少なくともいずれかの信号の中に含まれているＩＰパケットから前記識別子を抽出するステップを備え、
前記信号は、前記ＩＰパケット内の識別子情報の内容を示すヘッダ識別子を有する
ことを特徴とする請求項２に記載の方法。
【請求項４】
前記放送メディアソースは、
無線データシステム（ＲＤＳ）デジタル情報を含む放送無線信号を含み、
前記識別子を抽出するステップは、該識別子を前記ＲＤＳデジタル情報から抽出するステップ
を備えることを特徴とする請求項２に記載の方法。
【請求項５】
前記放送メディアソースは、放送デジタルテレビ信号を含み、
前記識別子を抽出するステップは、前記デジタルテレビ信号のメディアコンテンツを含まないタイムスロット中に該識別子を前記放送デジタルテレビ信号から抽出するステップ
を備えることを特徴とする請求項２に記載の方法。
【請求項６】
前記受信した放送メディアソースは、
組み込まれたリアリィ・シンプル・シンジケーション（ＲＳＳ）フィードを含み、
前記識別子を抽出するステップは、該識別子を前記ＲＳＳフィードから抽出するステップ
を備えることを特徴とする請求項２に記載の方法。
【請求項７】
前記ダウンロード可能なコンテンツは、ポッドキャストを備える
ことを特徴とする請求項２に記載の方法。
【請求項８】
前記受信した放送メディアソースの提示の変更は、
前記受信した放送メディアソースの提示を一時停止するステップと、
前記受信した放送メディアソースを前記ユーザに関連付けられるパーソナルメディアレコーダへリダイレクトするステップとを備え、
前記ダウンロード可能なコンテンツを前記ユーザへ提示するステップは、前記パーソナルメディアレコーダへリダイレクトした前記放送メディアソースを前記ユーザへ提示するステップに先行して行なわれる
ことを特徴とする請求項２に記載の方法。
【請求項９】
前記ダウンロード可能なコンテンツにアクセスするステップに先立って、前記ダウンロード可能なコンテンツの利用可能性をユーザに通知するステップを実行し、
前記所望の配信指定を決定するステップは、
前記ユーザへの前記通知に応答して前記ダウンロード可能なコンテンツの前記所望の配信指定を前記ユーザから受信するステップ
を備えることを特徴とする請求項２に記載の方法。
【請求項１０】
前記ダウンロード可能なコンテンツにアクセスするステップに先立って、前記ユーザに関連付けられる格納済みの構成情報を取得するステップを実行し、
前記所望の配信指定を決定するステップは、
前記ダウンロード可能なコンテンツの所望の配信指定を前記取得した構成情報から決定するステップ
を備えることを特徴とする請求項２に記載の方法。
【請求項１１】
前記ダウンロード可能なコンテンツは関連付けられた種別を有し、前記構成情報は複数の所望の配信指定を含み、該複数の配信指定のうちのいくつかは、前記ダウンロード可能なコンテンツの種別に対応して関連付けられ、前記構成情報を取得するステップは、前記ダウンロード可能なコンテンツの前記関連付けられた種別を決定するステップと、前記決定した関連付けられた種別に関連して前記複数の所望の配信指定のうちの１つの配信指定を取得するステップと
を備えることを特徴とする請求項１０に記載の方法。
【請求項１２】
前記放送メディアソースは通信装置によって受信され、前記放送メディアソースを受信するステップと前記識別情報を抽出するステップとは、前記通信装置において実行するメディアプレイヤモジュールにより行われ、前記ダウンロード可能なコンテンツにアクセスするステップは、前記通信装置において実行するブラウザモジュールにより行われ、前記受信した放送メディアソースから抽出された前記識別子を前記メディアプレイヤモジュールから前記ブラウザモジュールへ提供するステップ
を更に備えることを特徴とする請求項２に記載の方法。
【請求項１３】
前記受信した放送メディアソースから抽出された前記識別子は、
前記ブラウザモジュールの指定されたアプリケーションプログラミングインタフェース（ＡＰＩ）を用いて、前記メディアプレイヤモジュールから前記ブラウザモジュールへ提供される
ことを特徴とする請求項１２に記載の方法。
【請求項１４】
前記ダウンロード可能なコンテンツの前記識別子を抽出するステップに応答して、前記ブラウザモジュールの実行指令を開始するステップ
を更に備えることを特徴とする請求項１２に記載の方法。
【請求項１５】
前記ダウンロード可能なコンテンツは関連付けられた種別を有し、前記ブラウザモジュールは複数のブラウザモジュールを備え、該複数のブラウザモジュールのうちのいくつかは、ダウンロード可能なコンテンツのそれぞれの種別に関連付けられ、前記ブラウザモジュールの実行指令を開始するステップは、前記ダウンロード可能なコンテンツの前記関連付けられた種別を決定するステップと、前記複数のブラウザモジュールのうちの前記ダウンロード可能なコンテンツの前記決定された関連する種別に対応して選択された１つのブラウザモジュールを開始するステップ
を備えることを特徴とする請求項１４に記載の方法。
【請求項１６】
前記ダウンロード可能なコンテンツはポッドキャストを備え、前記放送メディアソースを受信するステップは、前記放送メディアソースを第１の受信機装置において受信するステップを備え、前記ダウンロード可能なメディアコンテンツにアクセスするステップは、前記第１の受信機装置から遠隔地にある第２の受信機装置への前記ポッドキャストの配信を開始するステップ
を備えることを特徴とする請求項２に記載の方法。
【請求項１７】
タイムスケジュールされた放送メディアソースにおいて識別されるダウンロード可能なコンテンツにアクセスするためのコンピュータ・プログラムであって、
該コンピュータ・プログラムはコンピュータ可読媒体において実現されるコンピュータプログラムコードを備え、
該コンピュータプログラムコードは、請求項２に記載の方法を実行するように構成されるプログラムコードを備える
ことを特徴とするコンピュータ・プログラム。
【請求項１８】
請求項２に記載の方法を実行するように構成されることを特徴とする通信装置。
【請求項１９】
請求項２に記載の方法を実行するように構成されることを特徴とする移動端末。
【請求項２０】
移動端末であって、
ポータブルハウジングと、
前記ハウジング内の出力装置と、
ダウンロード可能なコンテンツを要求し、該コンテンツを受信するように構成される、前記ハウジング内の無線通信ネットワークインタフェース回路と、
タイムスケジュールされた放送メディアソースを受信するように構成される、前記ハウジング内の受信装置と、
前記ハウジング内の制御装置であって、
前記タイムスケジュールされた放送メディアソースを前記出力装置に提示するように構成されるメディアプレイヤモジュールと、
前記ダウンロード可能なコンテンツの識別子に基づいて、前記無線通信ネットワークインタフェースを用いて前記ダウンロード可能なコンテンツを要求し、該コンテンツを前記出力装置に提示するように構成されるブラウザモジュールと、
前記ダウンロード可能なコンテンツの所望の配信指定として、該ダウンロード可能なコンテンツの即時配信か、遅延配信か、無配信かのいずれかのユーザ指定を受信するように構成される前記ハウジング内に備えられるユーザ入力装置と、
前記ダウンロード可能なメディアコンテンツの前記識別子を前記受信した放送メディアソースから抽出し、該抽出した識別子を前記ブラウザモジュールへ提供して、該ブラウザモジュールにより前記ダウンロード可能なコンテンツの要求を開始するように構成されるアクセス制御モジュールと、を実行するように構成される制御装置とを備え、
前記アクセス制御モジュールは、前記放送メディアソースと、前記ダウンロード可能なコンテンツとを提示するタイミングを前記所望の配信指定に基づいて制御するように構成される
ことを特徴とする移動端末。
【請求項２１】
前記アクセス制御モジュールは、
前記ダウンロード可能なコンテンツが即時配信指定の受信に応答して前記出力装置に提示されている間に、前記放送メディアソースの提示を前記出力装置において一時停止するように構成される
ことを特徴とする請求項２０記載の移動端末。
【請求項２２】
前記アクセス制御モジュールは、
前記放送メディアソースを提示するステップが一時停止されている間に、前記移動端末のユーザに関連付けられるパーソナルレコーダへ前記放送メディアソースをリダイレクトし、前記ダウンロード可能なコンテンツが前記出力装置に提示された後で、前記メディアプレイヤモジュールによって、前記パーソナルレコーダから前記リダイレクトした放送メディアソースの提示を開始するように構成される
ことを特徴とする請求項２１記載の移動端末。
【請求項２３】
前記放送メディアソースは、マルチキャストインターネットプロトコル（ＩＰ）テレビ信号を含み、前記ダウンロード可能なコンテンツは、ポッドキャストを備え、前記出力装置は、表示装置とスピーカとを備え、前記アクセス制御モジュールは、前記マルチキャストＩＰテレビ信号の中に含まれているＩＰパケットから前記識別子を抽出するように構成され、前記信号は、前記ＩＰパケット内の識別子情報の内容を示すヘッダ識別子を有する
ことを特徴とする請求項２１に記載の移動端末。
【請求項２４】
前記アクセス制御モジュールは、
前記ユーザに関連付けられる格納済みの構成情報を取得し、前記取得した構成情報から前記ダウンロード可能なコンテンツの所望の配信指定を決定するように更に構成される
ことを特徴とする請求項２０に記載の移動端末。
【請求項２５】
前記ダウンロード可能なコンテンツは関連付けられた種別を有し、前記構成情報は複数の所望の配信指定を含み、該複数の配信指定のうちのいくつかは、前記ダウンロード可能なコンテンツの種別に対応して関連付けられ、
前記アクセス制御モジュールは、
前記ダウンロード可能なコンテンツの前記関連付けられた種別を決定し、該決定した関連付けられた種別に関連して前記複数の所望の配信指定のうちの１つの配信指定を取得するように構成される
ことを特徴とする請求項２４に記載の移動端末。
【手続補正２】
【補正対象書類名】明細書
【補正対象項目名】発明の名称
【補正方法】変更
【補正の内容】
【発明の名称】受信した放送コンテンツに関連付けられたダウンロード可能なコンテンツにアクセスする方法、コンピュータ・プログラム、通信装置及び移動端末